【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】（ａ）約３７℃の温度で１×ＳＳＣと０％ホルムアミドとを含む溶液中でハイブリッド形成する工程と、（ｂ）約４７．５℃の温度で１×ＳＳＣと０％ホルムアミドとを含む溶液中で洗浄する工程とから成る条件下で、配列番号１、配列番号３、配列番号４、配列番号６、配列番号７、配列番号９、配列番号１０、配列番号１２、配列番号１３、配列番号１５、配列番号１６、配列番号１８、配列番号１９、配列番号２１、配列番号２２、配列番号２４、配列番号２５、配列番号２７、配列番号２８、配列番号３０、配列番号３１、配列番号３３、配列番号３４、配列番号３６、配列番号３７、配列番号３９、配列番号４０、配列番号４２、配列番号４３、配列番号４５、配列番号４６、配列番号４８、配列番号１５３、配列番号１５５、配列番号１５６、配列番号１５８、配列番号１５９、配列番号１６１、配列番号１６２、配列番号１６４、配列番号１６５、配列番号１６７、配列番号１６８、配列番号１７０、配列番号１８５９、配列番号１８６０、配列番号１８６１、配列番号１８６３、配列番号１８６４、配列番号１８６６、配列番号１８６７、配列番号１８６９、配列番号１８７０、配列番号１８７１、配列番号１８７２、配列番号１８７４、配列番号１８７５、配列番号１８７６、配列番号１８７７、配列番号１８７８、配列番号１８８０、配列番号１８８１、配列番号１８８２、配列番号１８８４、配列番号１８８５、配列番号１８８６、配列番号１８８７、配列番号１８８９、配列番号１８９０、配列番号１８９１、配列番号１８９２、配列番号１８９３、配列番号１８９４、配列番号１８９５、配列番号１８９６、配列番号１８９８、配列番号１８９９、配列番号１９００、配列番号１９０１、配列番号１９０３、配列番号１９０４、配列番号１９０５、配列番号１９０６、配列番号１９０７、配列番号１９０８、配列番号１９０９、配列番号１９１０、配列番号１９１１、配列番号１９１２、配列番号１９１３、配列番号１９１４、配列番号１９１６、配列番号１９１７、配列番号１９１８、配列番号１９１９、配列番号１９２１、配列番号１９２２、配列番号１９２３、配列番号１９２４、配列番号１９２６、配列番号１９２７、配列番号１９２８、配列番号１９２９及び配列番号１９３１から成る群より選択された核酸配列とハイブリッド形成する単離核酸分子。
【請求項２】前記核酸分子は、配列番号１、配列番号３、配列番号４、配列番号６、配列番号７、配列番号９、配列番号１０、配列番号１２、配列番号１３、配列番号１５、配列番号１６、配列番号１８、配列番号１９、配列番号２１、配列番号２２、配列番号２４、配列番号２５、配列番号２７、配列番号２８、配列番号３０、配列番号３１、配列番号３３、配列番号３４、配列番号３６、配列番号３７、配列番号３９、配列番号４０、配列番号４２、配列番号４３、配列番号４５、配列番号４６、配列番号４８、配列番号１５
３、配列番号１５５、配列番号１５６、配列番号１５８、配列番号１５９、配列番号１６１、配列番号１６２、配列番号１６４、配列番号１６５、配列番号１６７、配列番号１６８、配列番号１７０、配列番号１８５９、配列番号１８６０、配列番号１８６１、配列番号１８６３、配列番号１８６４、配列番号１８６６、配列番号１８６７、配列番号１８６９、配列番号１８７０、配列番号１８７１、配列番号１８７２、配列番号１８７４、配列番号１８７５、配列番号１８７６、配列番号１８７７、配列番号１８７８、配列番号１８８０、配列番号１８８１、配列番号１８８２、配列番号１８８４、配列番号１８８５、配列番号１８８６、配列番号１８８７、配列番号１８８９、配列番号１８９０、配列番号１８９１、配列番号１８９２、配列番号１８９３、配列番号１８９４、配列番号１８９５、配列番号１８９６、配列番号１８９８、配列番号１８９９、配列番号１９００、配列番号１９０１、配列番号１９０３、配列番号１９０４、配列番号１９０５、配列番号１９０６、配列番号１９０７、配列番号１９０８、配列番号１９０９、配列番号１９１０、配列番号１９１１、配列番号１９１２、配列番号１９１３、配列番号１９１４、配列番号１９１６、配列番号１９１７、配列番号１９１８、配列番号１９１９、配列番号１９２１、配列番号１９２２、配列番号１９２３、配列番号１９２４、配列番号１９２６、配列番号１９２７、配列番号１９２８、配列番号１９２９及び配列番号１９３１から成る群より選択された核酸配列と約７０％以上相同な核酸配列を有する、請求項１に記載の核酸分子。
【請求項３】前記核酸分子が、
配列番号１、配列番号３、配列番号４、配列番号６、配列番号７、配列番号９、配列番号１０、配列番号１２、配列番号１３、配列番号１５、配列番号１６、配列番号１８、配列番号１９、配列番号２１、配列番号２２、配列番号２４、配列番号２５、配列番号２７、配列番号２８、配列番号３０、配列番号３１、配列番号３３、配列番号３４、配列番号３６、配列番号３７、配列番号３９、配列番号４０、配列番号４２、配列番号４３、配列番号４５、配列番号４６、配列番号４８、配列番号１５３、配列番号１５５、配列番号１５６、配列番号１５８、配列番号１５９、配列番号１６１、配列番号１６２、配列番号１６４、配列番号１６５、配列番号１６７、配列番号１６８、配列番号１７０、配列番号１８５９、配列番号１８６０、配列番号１８６１、配列番号１８６３、配列番号１８６４、配列番号１８６６、配列番号１８６７、配列番号１８６９、配列番号１８７０、配列番号１８７１、配列番号１８７２、配列番号１８７４、配列番号１８７５、配列番号１８７６、配列番号１８７７、配列番号１８７８、配列番号１８８０、配列番号１８８１、配列番号１８８２、配列番号１８８４、配列番号１８８５、配列番号１８８６、配列番号１８８７、配列番号１８８９、配列番号１８９０、配列番号１８９１、配列番号１８９２、配列番号１８９３、配列番号１８９４、配列番号１８９５、配列番号１８９６、配列番号１８９８、配列番号１８９９、配列番号１９００、配列番号１９０１、配列番号１９０３、配列番号１９０４、配列番号１９０５、配列番号１９０６、配列番号１９０７、配列番号１９０８、配列番号１９０９、配列番号１９１０、配列番号１９１１、配列番号１９１２、配列番号１９１３、配列番号１９１４、配列番号１９１６、配列番号１９１７、配列番号１９１８、配列番号１９１９、配列番号１９２１、配列番号１９２２、配列番号１９２３、配列番号１９２４、配列番号１９２６、配列番号１９２７、配列番号１９２８、配列番号１９２９及び配列番号１９３１から成る群より選択された核酸配列を有する核酸分子と、
配列番号１、配列番号３、配列番号４、配列番号６、配列番号７、配列番号９、配列番号１０、配列番号１２、配列番号１３、配列番号１５、配列番号１６、配列番号１８、配列番号１９、配列番号２１、配列番号２２、配列番号２４、配列番号２５、配列番号２７、配列番号２８、配列番号３０、配列番号３１、配列番号３３、配列番号３４、配列番号３６、配列番号３７、配列番号３９、配列番号４０、配列番号４２、配列番号４３、配列番号４５、配列番号４６、配列番号４８、配列番号１５３、配列番号１５５、配列番号１５６、配列番号１５８、配列番号１５９、配列番号１６１、配列番号１６２、配列番号１６４、配列番号１６５、配列番号１６７、配列番号１６８、配列番号１７０、配列番号１８５９、配列番号１８６０、配列番号１８６１、配列番号１８６３、配列番号１８６４、
配列番号１８６６、配列番号１８６７、配列番号１８６９、配列番号１８７０、配列番号１８７１、配列番号１８７２、配列番号１８７４、配列番号１８７５、配列番号１８７６、配列番号１８７７、配列番号１８７８、配列番号１８８０、配列番号１８８１、配列番号１８８２、配列番号１８８４、配列番号１８８５、配列番号１８８６、配列番号１８８７、配列番号１８８９、配列番号１８９０、配列番号１８９１、配列番号１８９２、配列番号１８９３、配列番号１８９４、配列番号１８９５、配列番号１８９６、配列番号１８９８、配列番号１８９９、配列番号１９００、配列番号１９０１、配列番号１９０３、配列番号１９０４、配列番号１９０５、配列番号１９０６、配列番号１９０７、配列番号１９０８、配列番号１９０９、配列番号１９１０、配列番号１９１１、配列番号１９１２、配列番号１９１３、配列番号１９１４、配列番号１９１６、配列番号１９１７、配列番号１９１８、配列番号１９１９、配列番号１９２１、配列番号１９２２、配列番号１９２３、配列番号１９２４、配列番号１９２６、配列番号１９２７、配列番号１９２８、配列番号１９２９及び配列番号１９３１から成る群より選択された核酸分子の対立変異型を有する核酸分子と
から成る群より選択される、請求項１に記載の核酸分子。
【請求項４】前記核酸分子が、配列番号２、配列番号８、配列番号１４、配列番号２０、配列番号２６、配列番号３２、配列番号３８、配列番号４４、配列番号１５４、配列番号１６０、配列番号１６３、配列番号１６９、配列番号１８６２、配列番号１８６８、配列番号１８７３、配列番号１８７９、配列番号１８８３、配列番号１８８８、配列番号１８９７、配列番号１９０２、配列番号１９１５、配列番号１９２０、配列番号１９２５、及び配列番号１９３０から成る群より選択されたアミノ酸配列と約７５％以上相同なアミノ酸配列を有する蛋白質をコードする、請求項１に記載の核酸分子。
【請求項５】前記核酸分子が、配列番号２、配列番号８、配列番号１４、配列番号２０、配列番号２６、配列番号３２、配列番号３８、配列番号４４、配列番号１５４、配列番号１６０、配列番号１６３、配列番号１６９、配列番号１８６２、配列番号１８６８、配列番号１８７３、配列番号１８７９、配列番号１８８３、配列番号１８８８、配列番号１８９７、配列番号１９０２、配列番号１９１５、配列番号１９２０、配列番号１９２５、及び配列番号１９３０から成る群より選択されたアミノ酸配列を有する蛋白質をコードする、請求項１に記載の核酸分子。
【請求項６】請求項１〜５のいずれか一項に記載の核酸分子によりコードされた蛋白質。 
【請求項７】請求項６に記載の蛋白質と選択的に結合する単離抗体。
【請求項８】請求項６に記載の単離蛋白質の活性を阻害できる化合物を同定する方法であって、
請求項６に記載の単離蛋白質を、前記化合物の不在下にて前記蛋白質が活性を有する条件下で、推定阻害化合物と接触させる工程と、
前記推定阻害化合物が前記活性を阻害するかどうかを測定する工程と
から成る方法。
【請求項９】請求項１〜５のいずれか一項に記載の核酸分子、請求項６に記載の蛋白質、または請求項７に記載の抗体を備えたキット。
【請求項１０】請求項１〜５のいずれか一項に記載の核酸分子、請求項６に記載の蛋白質、または請求項７に記載の抗体を非ヒト動物に投与する工程から成る、非ヒト動物を保護する方法。